(57)【要約】【課題】電極を挟持する一対の板状の接触部に均等に接触させることができ、挿抜力の増加が防止できる電極取付構造およびそれを用いた装置を提供する。【解決手段】グリラーは、第１電極２５と、第１電極２５を一対の板状の接触部４１１１ｂにより挟持する第２電極４１と、第２電極４１が取り付けられた可動部４３と、可動部４３を固定部である取付台４２に取り付ける可動部用取付部４４とを備えている。この可動部用取付部４４は、雄ねじ部材４４１が、可動部４３の貫通孔内に配置されたスペーサ４４３の貫通孔と、取付台４２に形成された貫通孔とに挿通して雌ねじ部材４４２と螺合し、雄ねじ部材４４１と雌ねじ部材４４２とが、取付台４２とスペーサ４４３とを挟持した状態で、可動部４３を取付台４２に取り付けている。【選択図】図５
2019200930.tif 000002
【特許請求の範囲】
【請求項１】
第１電極と、
前記第１電極を一対の板状の接触部により挟持する第２電極と、
前記第１電極または前記第２電極のいずれか一方の電極が取り付けられた可動部と、
前記可動部を固定部に取り付ける可動部用取付部とを備え、
前記可動部用取付部は、
前記可動部と前記固定部とを貫通する雄ねじ部材と、
前記雄ねじ部材に前記可動部と前記固定部とを挟んで螺合する雌ねじ部材と、
前記可動部に形成された貫通孔より前記可動部の移動範囲分細く、前記固定部に形成された貫通孔より直径が太く形成されていると共に、前記可動部の厚みより高さが高く形成され、前記雄ねじ部材が挿通する貫通孔が形成されたスペーサとを備え、
前記雄ねじ部材が、前記可動部の貫通孔内に配置された前記スペーサの貫通孔と、前記固定部に形成された貫通孔とに挿通して前記雌ねじ部材と螺合し、前記雄ねじ部材と前記雌ねじ部材とが、前記固定部と前記スペーサとを挟持した状態で、前記可動部が前記固定部に取り付けられた電極取付構造。
【請求項２】
前記一方の電極は、他方の電極と接触する端子部と、前記端子部を前記固定部に固定する端子部用取付部を備え、
前記端子部用取付部は、前記固定部に形成された貫通孔を挿通する雄ねじ部材と、前記雄ねじ部材を挿通させる貫通孔が形成され、前記固定部を挟んで両側に配置された一対の絶縁部材と、前記一対の絶縁部材と前記固定部とを挟んだ状態で前記雄ねじ部材に螺合する一対の雌ねじ部材とを備えた請求項１記載の電極取付構造。
【請求項３】
前記可動部が絶縁部材により形成され、
前記一方の電極は、他方の電極と接触する端子部と、前記端子部を前記固定部に固定する端子部用取付部を備え、
前記端子部用取付部は、前記固定部に形成された貫通孔を挿通する雄ねじ部材と、前記絶縁部材と前記固定部の両側から前記雄ねじ部材に螺合する一対の雌ねじ部材とを備えた請求項１記載の電極取付構造。
【請求項４】
前記第１電極は、面一で並べられた複数個が配置され、
前記第２電極は、前記第１電極に向き合った状態で配置された請求項１から３のいずれかの項に記載の電極取付構造。
【請求項５】
請求項１から４のいずれかの項に記載の電極取付構造の前記第１電極または前記第２電極のいずれか一方の電極が下方を向いて取り付けられたユニットと、他方の電極が上方を向いて取り付けられ、前記ユニットが上方から装着されると、前記ユニットの前記一方の電極が前記他方の電極に接触する装置本体とを備えた電極取付構造を用いた装置。
【請求項６】
前記装置本体は、前記装置本体と前記ユニットとの間に位置する挿入部と、前記挿入部の端部から延び、前記挿入部の基部を支点に前記挿入部の先端部を起こすための操作部とを有する取外部材を備えた請求項５記載の電極取付構造を用いた装置。
【発明の詳細な説明】
【技術分野】
【０００１】
本発明は、第１電極、または第１電極を一対の板状の接触部により挟持する第２電極のいずれか一方の電極を固定部に取り付けるための電極取付構造およびそれを用いた装置に関するものである。
【背景技術】
【０００２】
一対の板状の接触部を有する一方に電極に、他方の電極を挿入して挟持させて接触することで、電極同士を導通させるものが知られている。
【０００３】
例えば、特許文献１に記載の加熱装置及び画像形成装置は、ヒーター裏面側のヒーター電極に対応する位置に導電性を有する中間接点部材がヒーターホルダあるいはヒーターに保持され、第一バネ接点部と第二バネ接点部から形成されたヒーターコネクタが、ヒーターとヒーターホルダの両者を圧着する方向に挟持し、中間接点部材を介してヒーターコネクタとヒーター電極が接して電気的に接続される、というものである。
【先行技術文献】
【特許文献】
【０００４】
【特許文献１】特開２０００−５８２２９号公報
【発明の概要】
【発明が解決しようとする課題】
【０００５】
しかし、特許文献１に記載の従来の電極取付構造では、例えば、製造時やメンテナンス時に、ヒーターホルダが通常の方向から傾斜した状態で取り付けられ、このヒーターホルダがヒーターコネクタに挿入されると、中間接点部材が接触するヒーターコネクタの第一バネ接点部への接触圧と、第二バネ接点部への接触圧とに片寄りが生じる。
【０００６】
また、第一バネ接点部および第二バネ接点部へヒーターホルダを挿入する際に、ヒーターホルダを挿入する位置が第一バネ接点部または第二バネ接点部のいずれかの方に片寄ると、いずれかのバネ接点部が通常より大きく開くことになり、通常の挿入力より余分な力が必要となる。
【０００７】
電極同士の接続が製造時に１回だけであればよいが、メンテナンス時に電極同士を挿抜するような場合では、挿抜が面倒である。
【０００８】
そこで本発明は、電極を挟持する一対の板状の接触部に均等に接触させることができ、挿抜力の増加が防止できる電極取付構造およびそれを用いた装置を提供することを目的とする。
【課題を解決するための手段】
【０００９】
本発明の電極取付構造は、第１電極と、前記第１電極を一対の板状の接触部により挟持する第２電極と、前記第１電極または前記第２電極のいずれか一方の電極が取り付けられた可動部と、前記可動部を固定部に取り付ける可動部用取付部とを備え、前記可動部用取付部は、前記可動部と前記固定部とを貫通する雄ねじ部材と、前記雄ねじ部材に前記可動部と前記固定部とを挟んで螺合する雌ねじ部材と、前記可動部に形成された貫通孔より前記可動部の移動範囲分細く、前記固定部に形成された貫通孔より直径が太く形成されていると共に、前記可動部の厚みより高さが高く形成され、前記雄ねじ部材が挿通する貫通孔が形成されたスペーサとを備え、前記雄ねじ部材が、前記可動部の貫通孔内に配置された前記スペーサの貫通孔と、前記固定部に形成された貫通孔とに挿通して前記雌ねじ部材と螺合して、前記雄ねじ部材と前記雌ねじ部材とが、前記固定部と前記スペーサとを挟持した状態で、前記可動部が前記固定部に取り付けられたことを特徴とする。
【００１０】
本発明によれば、雄ねじ部材と雌ねじ部材とが、固定部とスペーサとを挟持して、スペーサが固定部に固定されていても、可動部の貫通孔内のスペーサは、可動部に形成された貫通孔より可動部の移動範囲分細く、固定部に形成された貫通孔より直径が太く形成されていると共に、可動部の厚みより高さが高く形成されているため、可動部は移動範囲の中で移動することができる。従って、他方の電極が通常の方向から傾斜したり、移動したりしても、可動部によって支持された一方の電極を、他方の電極の傾斜または移動の状態に応じて連動させることができる。
【００１１】
前記一方の電極は、他方の電極と接触する端子部と、前記端子部を前記固定部に固定する端子部用取付部を備え、前記端子部用取付部は、前記固定部に形成された貫通孔を挿通する雄ねじ部材と、前記雄ねじ部材を挿通させる貫通孔が形成され、前記固定部を挟んで両側に配置された一対の絶縁部材と、前記一対の絶縁部材と前記固定部とを挟んだ状態で前記雄ねじ部材に螺合する一対の雌ねじ部材とを備えたものとすることができる。
他方の電極と接触する端子部を支持する雄ねじ部材が、固定部を挟んで両側に絶縁部材を挿通した状態で、雌ねじ部材に螺合して固定されている。従って、一方の電極を固定部と絶縁した状態で、固定部に取り付けることができる。
【００１２】
前記可動部が絶縁部材により形成され、前記一方の電極は、他方の電極と接触する端子部と、前記端子部を前記固定部に固定する端子部用取付部を備え、前記端子部用取付部は、前記固定部に形成された貫通孔を挿通する雄ねじ部材と、前記絶縁部材と前記固定部の両側から前記雄ねじ部材に螺合する一対の雌ねじ部材とを備えたものとすることができる。
他方の電極と接触する端子部を支持する雄ねじ部材が、絶縁部材により形成された可動部と共に、固定部を挟んで両側で、雌ねじ部材に螺合して固定されている。従って、一方の電極を固定部と絶縁した状態で、固定部に取り付けることができる。
【００１３】
前記第１電極は、面一で並べられた複数個が配置され、前記第２電極は、前記第１電極に向き合った状態で配置されたものとすることができる。第１電極が面一に並べられて複数個配置されていても、第１電極または第２電極のいずれかが可動部と共に移動するため、第１電極の配置が多少ずれていても第２電極に挿入して接触させることができる。
【００１４】
本発明の電極取付構造を用いた装置は、本発明の電極取付構造の電極取付構造の前記第１電極または前記第２電極のいずれか一方の電極が下方を向いて取り付けられたユニットと、他方の電極が上方を向いて取り付けられ、前記ユニットが上方から装着されると、前記ユニットの前記一方の電極が前記他方の電極に接触する装置本体とを備えたことを特徴とする。
【００１５】
本発明の電極取付構造を用いた装置は、ユニット側に一方の電極が下方を向いて取り付けられている。また、装置本体側には、他方の電極が上方を向いて取り付けられている。従って、ユニットを装置本体に上から被せるだけで、ユニットを装置本体に装着することができる。
【００１６】
前記装置本体は、前記装置本体と前記ユニットとの間に位置する挿入部と、前記挿入部の端部から延び、前記挿入部の基部を支点に前記挿入部の先端部を起こすための操作部とを有する取外部材を備えることができる。
装置本体が取外部材を備えているため、操作部を操作して挿入部の先端部を引き起こせば、装置本体とユニットとの間が拡がり、一方の電極から他方の電極が引き抜かれるため、ユニットを装置本体から簡単に引き離すことができる。
【発明の効果】
【００１７】
本発明によれば、他方の電極が通常の方向から傾斜したり、移動したりしても、可動部によって支持された一方の電極を、他方の電極の傾斜または移動の状態に応じて連動させることができるので、電極を挟持する一対の板状の接触部に均等に接触させることができ、挿抜力の増加が防止できる。
【図面の簡単な説明】
【００１８】
【図１】本発明の実施の形態に係る電極取付構造を用いた装置の一例であるグリラーを示す図であり、（Ａ）は正面図、（Ｂ）は左側面図、（Ｃ）は平面図である。
【図２】図１に示すグリラーにおけるユニットからカバーを外したヒーター部の図であり、（Ａ）は平面図、（Ｂ）は正面図、（Ｃ）は左側面図である。
【図３】図２に示すユニットの第１電極の構成を説明するための図である。
【図４】図１に示すグリラーの電源部を説明するための図であり、（Ａ）はグリラーを側面から見た図、（Ｂ）は、第１電極と第２電極とが接続された状態の図である。
【図５】図４に示す第２電極が可動部に固定され、取付台に取り付けたられた状態を説明するための図であり、（Ａ）は側面側から見た図、（Ｂ）は正面側から見た図である。
【図６】図５に示す可動部の移動を説明するための図であり、（Ａ）は水平断面図、（Ｂ）は垂直断面図である。
【図７】図１に示すグリラーにおけるユニットからカバーを外し、取外部材を露出させた状態の一部拡大図である。
【図８】図７に示す取外部材を操作した状態を説明するための一部拡大図である。
【図９】図５に示す電極取付構造の変形例を説明するための図である。
【発明を実施するための形態】
【００１９】
本発明の実施の形態に係る電極取付構造およびそれを用いた装置を、グリラー（加熱調理装置）を例に、図面に基づいて説明する。
図１に示すグリラー１０は、板状電極により形成された第１電極（他方の電極）が取り付けられたユニット２０と、一対の板状の接触部を有する第２電極（一方の電極）が取り付けられた装置本体３０とを備えている。
【００２０】
（ユニットの説明）
図１と、図２（Ａ）から同図（Ｃ）とに示すように、ユニット２０は、ヒーター部２１が開口部２１ａを有する平面視矩形状のカバー２２に覆われたものである。ヒーター部２１は、ユニット２０の固定部である筐体２３と、筐体２３に両端部が保持された棒状の抵抗発熱体Ｈとを備えている。
筐体２３は、矩形状の枠体２３ａに抵抗発熱体Ｈを支持するための区画壁２３ｂが設けられている。
本実施の形態のヒーター部２１では、４本の抵抗発熱体Ｈ１〜Ｈ４を備えている。この４本の抵抗発熱体Ｈ１〜Ｈ４の一方の端部は、内側の２本（抵抗発熱体Ｈ２，Ｈ３同士）が接続用金具２４ａにより接続され、外側の２本（抵抗発熱体Ｈ１，Ｈ４同士）が接続用金具２４ｂにより接続されている。
また、４本の抵抗発熱体Ｈ１〜Ｈ４の他方の端部は、奥側の２本（抵抗発熱体Ｈ１，Ｈ２同士）が接続用金具２４ｃにより接続され、手前側の２本（抵抗発熱体Ｈ３，Ｈ４同士）が接続用金具２４ｄにより接続されている。
【００２１】
接続用金具２４ｃ，２４ｄは、第１電極２５と、筐体２３に固定するための固定用ねじ部２６に接続されている。
【００２２】
図３に示すように、第１電極２５は、板状の金属板を折り曲げた逆Ｌ字状の端子部２５１と、端子部２５１を筐体２３に固定すると共に、接続用金具２４ｃ，２４ｄと接続するための端子部用取付部２５２とを備えている。
端子部２５１は、折り曲げられて装置本体３０側である下方へ延びるように接触部分が形成されている。図２に示すように、第１電極２５は、端子部２５１が面一で、筐体２３（グリラー１０（図１参照））の幅方向に沿って並べられている。
【００２３】
図３に示す端子部用取付部２５２は、雄ねじ部材２５２ａと、雌ねじ部材２５２ｂ〜２５２ｅと、一対の絶縁部材２５２ｆとを備えている。
雄ねじ部材２５２ａは、頭部が拡径したボルトである。
雌ねじ部材２５２ｂは、雄ねじ部材２５２ａに螺合することで、雄ねじ部材２５２ａの頭部２５２ｈと共に、座金２５２ｇを介して端子部２５１を挟み込み固定するナットである。
雌ねじ部材２５２ｃおよび雌ねじ部材２５２ｄは、雄ねじ部材２５２ａに螺合することで、筐体２３の底板２３ｃを間に位置させた一対の絶縁部材２５２ｆを両側から、座金２５２ｇを介して挟み込み固定するナットである。
雌ねじ部材２５２ｅは、雌ねじ部材２５２ｄと共に、座金２５２ｇを介して、接続用金具２４ｃ，２４ｄを挟み込み固定するナットである。
【００２４】
筐体２３の底板２３ｃには、雄ねじ部材２５２ａより直径が大きい貫通孔が形成されている。また、絶縁部材２５２ｆは、筐体２３の貫通孔より直径が大きいリング状の碍子である。
これにより、端子部２５１に導通接続する雄ねじ部材２５２ａは、筐体２３と非接触の状態で、筐体２３に固定される。
【００２５】
（装置本体の説明）
図１と、図４（Ａ）および同図（Ｂ）に示すように、装置本体３０は、箱状の筐体３１と、筐体３１の一方の端部に形成された空間Ｓに配置された電源部４０とを備えている。
筐体３１の前面には、電源スイッチ３１ａと、電源ランプ３１ｂとが設けられている。筐体３１の中央部であり、抵抗発熱体Ｈ１〜Ｈ４の下方には、ユニット２０にて焼かれた食品から滴下した油などを溜めるための引き出し式の水盤３１ｃが設けられている。
【００２６】
電源部４０には、過電流を検出して遮断する遮断器（図示せず）や第２電極４１を取り付けるための固定部である取付台４２が配置されている。
取付台４２は、金属板がコ字状に折り曲げられて形成され、筐体３１を側面視したときの空間Ｓの奥壁３２（図４（Ｂ）参照）に取り付けられている。
取付台４２の天面４２ａには、第２電極４１が、第１電極２５（図２参照）に向き合った状態で、可動部４３を介して取り付けられている。可動部４３は、可動部用取付部４４により、取付台４２の天面４２ａに取り付けられている。
【００２７】
ここで、第２電極４１が、固定部である取付台４２に、可動部４３を介して取り付けられた取付構造について、図面に基づいて詳細に説明する。
【００２８】
（第２電極の説明）
図５（Ａ）および同図（Ｂ）に示すように、第２電極４１は、第１電極２５と接触する端子部４１１と、端子部４１１を可動部４３に固定する端子部用取付部４２０を備えている。
【００２９】
端子部４１１は、第1電極２５の端子部２５１と接触する板ばねによる圧接片４１１１と、圧接片４１１１の開きを抑止する補強部４１１２とを備えている。
圧接片４１１１は、金属製の板材がＵ字状に折り曲げられた接続部４１１１ａと、接続部４１１１ａの双方の先端部から連接された接触部４１１１ｂとを備えている。
補強部４１１２は、接続部４１１１ａの底部と一対の側部とに接触して、接続部４１１１ａの過度の開きを抑止するものである。
【００３０】
端子部用取付部４２０は、雄ねじ部材４２１と、一対の絶縁部材４２２と、一対の雌ねじ部材４２３とを備えている。
絶縁部材４２２は、第２電極４１と取付台４２とを絶縁するリング状のマイカなどの絶縁体により形成されている。絶縁部材４２２の直径（外径）は、取付台４２の天面４２ａに形成された貫通孔４２ｈの直径より小さく形成されている。
従って、可動部４３を挟んだ状態で両側に絶縁部材４２２を配置すると、下側の絶縁部材４２２は取付台４２の貫通孔４２ｈの中に位置し、一対の絶縁部材４２２が、可動部４３のおもて面と裏面との両側を挟むように配置される。
【００３１】
雄ねじ部材４２１は、一方の端部（上端）にて端子部４１１を支持している。雄ねじ部材４２１は、可動部４３を挟む一対の絶縁部材４２２と一対の座金４２４とに貫通して、一対の雌ねじ部材４２３と螺合する。
そうすることで、一対の雌ねじ部材４２３が一対の絶縁部材４２２を可動部４３に押さえ込むので、第２電極４１が取付台４２に対しては移動可能であるが可動部４３に固定された状態となる。
また、雄ねじ部材４２１の下端部には、電源線からの配線が接続された端子板４２６を挟み込む一対の雌ねじ部材４２５が螺合している。
【００３２】
次に、可動部４３が取付台４２の天面４２ａに、可動部用取付部４４により取り付けられた取付構造について、図面に基づいて詳細に説明する。
【００３３】
図６（Ａ）および同図（Ｂ）に示すように、可動部用取付部４４は、雄ねじ部材４４１および雌ねじ部材４４２と、スペーサ４４３とを備えている。
雄ねじ部材４４１および雌ねじ部材４４２は、可動部４３と取付台４２の天面４２ａとを螺合により取り付けるためのものである。
【００３４】
スペーサ４４３は、その直径φ１が、可動部４３に形成された貫通孔４３ｈの直径φ２より可動部４３の移動範囲Ｍ分細く、取付台４２に形成された貫通孔より直径が太く形成されている。また、スペーサ４４３の高さＴ１が可動部４３の厚み（高さＴ２）より高く形成されている。スペース４４３には、雄ねじ部材４４１が挿通する貫通孔が形成されている。雄ねじ部材４４１の頭部は、可動部４３の貫通孔の直径φ２よりも大きく形成されている。雄ねじ部材４４１の頭部が、可動部４３の貫通孔の直径φ２よりも小さいときには座金を入れてもよい。
また、可動部４３の貫通孔の直径φ２は、取付台４２の貫通孔より大きく形成されている。
【００３５】
このように可動部用取付部４４が構成されていることで、雄ねじ部材４４１が、可動部４３の貫通孔内に配置されたスペーサ４４３の貫通孔と、取付台４２の貫通孔とに挿通して雌ねじ部材４４２と螺合し、雄ねじ部材４４１と雌ねじ部材４４２とが、取付台４２とスペーサ４４３とを挟持した状態で、可動部４３が取付台４２に取り付けられている。
【００３６】
図７に示すように、装置本体３０の天面３０ａには、取外部材５０が設けられている。
取外部材５０は、装置本体３０とユニット２０との間に挿入される挿入部５１と、挿入部５１の端部から延び、挿入部５１の基部５１ａを支点に挿入部５１の先端部５１ｂを起こすための操作部５２と、挿入部５１を装置本体３０の天面３０ａに押さえ付ける方向に操作部５２を付勢するばね蝶番５３とを備えている。
【００３７】
以上のように構成された本発明の実施の形態に係るグリラー１０の使用状態を図面に基づいて説明する。
【００３８】
図２（Ａ）から同図（Ｃ）に示すように、一対の第１電極２５がユニット２０の幅方向に沿って面一に並べられている。しかし、第１電極２５のうちいずれかの第１電極２５が、軸回転したり、水平にずれたり、また、傾斜したりした状態で、筐体２３に取り付けられてしまうことがある。
【００３９】
第１電極２５が水平にずれたり、また、傾斜したりした状態で、第２電極４１の端子部４１１に挿入されると、圧接片４１１１の一対の接触部４１１１ｂのいずれか一方に片寄って接触する。
また、第１電極２５が軸回転すると、第１電極２５の端子部２５１と、第２電極４１の端子部４１１との間に隙間ができるおそれがある。
【００４０】
しかし、図５（Ａ）および同図（Ｂ）に示す本実施の形態に係る第２電極４１は、可動部４３に端子部用取付部４２０により固定されているが、取付台４２とは移動可能である。
また、図６（Ａ）に示すように、スペーサ４４３と可動部４３の貫通孔４３ｈとの間に、移動範囲Ｍの隙間が確保されている。
そのため、可動部４３は取付台４２の天面４２ａに沿って、スペーサ４４３を中心に全方向に水平移動することができる。
また、図６（Ｂ）に示すように、可動部４３の厚み（高さＴ２）よりスペーサ４４３の高さＴ１が高いため、可動部４３は、雄ねじ部材４４１の頭部がストッパとなって、雄ねじ部材４４１の頭部の底面まで上下方向に移動することができ、水平方向に対して傾斜することができる。
【００４１】
従って、第１電極２５が通常の方向から傾斜したり、取付台４２に対して天面４２ａに沿って移動してずれていたりしても、可動部４３によって支持された第２電極４１は、第１電極２５の挿入が進むと、第１電極２５の傾斜または移動の状態に応じて連動して、傾斜または移動することができる。
【００４２】
また、図２に示すヒーター部２１を装置本体３０に取り付けるときには、ヒーター部２１における第１電極２５が配置された側とは反対側の一端側Ｓ１を、図１に示す装置本体３０に当接させ、この一端側Ｓ１を中心に、第１電極２５が配置された他端側Ｓ２を下ろすことで、第１電極２５を第２電極４１へ嵌め込み接続する。
【００４３】
従って、第１電極２５は、円弧を描くように移動しながら、第２電極４１に接続するため、第１電極２５が正常な姿勢で取り付けられていても、第１電極２５は傾斜した状態で第２電極４１の端子部４１１に挿入される。
しかし、第２電極４１は、上述したように、第１電極２５の傾斜または移動の状態に応じて連動して傾斜または移動することができるので、第１電極２５を無理なく受け入れることができる。
【００４４】
従って、第１電極２５に均等に第２電極４１の接触部４１１１ｂを接触させることができる。
よって、グリラー１０は、電極を挟持する一対の板状の接触部に均等に接触させることができ、挿抜力の増加が防止できる。また、端子部４１１の接触部４１１１ｂが均等に第１電極２５の端子部２５１に面接触するため、端子部４１１が強い押圧力で端子部２５１を挟み込まなくても、接触抵抗値を抑えることができる。
更に、第２電極４１は、接触を繰り返しても、第１電極２５との面接触を維持することができるため、接触抵抗値の安定化を図ることができる。
【００４５】
ユニット２０を装置本体３０から取り外すときには、まず、使用者は、図１に示すユニット２０のカバー２２を筐体２３から取り外す。カバー２２が外れると、図７に示すように取外部材５０の操作部５２が露出する。
使用者は、図８に示すように、操作部５２を装置本体３０側へ押し下げる。そうすることで、挿入部５１の基部５１ａを支点に挿入部５１の先端部５１ｂが起こされる。
挿入部５１が起こされることで、ユニット２０の筐体２３の端部が装置本体３０に対して上方に押し上げられるため、第１電極２５は上方に移動して、第２電極４１から引き抜かれる。
【００４６】
このとき、ヒーター部２１を装置本体３０に取り付けたときと同様に、ヒーター部２１は、第１電極２５が配置された側とは反対側の一端側Ｓ１を中心に、他端側Ｓ２が円弧を描くように押し上げられる。
しかし、第１電極２５の傾斜に追従して、第２電極４１が傾斜するため、第１電極２５が片寄り無く第２電極４１から抜けていくため、第２電極４１への負担が軽減され、第１電極２５を無理なく第２電極４１から引き抜くことができる。
従って、ユニット２０を装置本体３０から簡単に引き離すことができる。
【００４７】
ばね蝶番５３は、挿入部５１を装置本体３０の天面３０ａに押さえ付ける方向に操作部５２を付勢しているため、使用者は操作部５２から手を離すことにより、取外部材５０を元の状態に復帰させることができる。
【００４８】
例えば、直接、抵抗加熱体Ｈ１〜Ｈ４に電源配線が接続された端子板を接続するようにすると、グリラーを分解して端子板を抵抗加熱体から取り外す手順を、マニュアルなどで規定する必要がある。飲食店では、アルバイトが多く、短期間でアルバイトが入れ替わることから、メンテナンスの引き継ぎがなされないまま、次のアルバイトがグリラーを操作する。従って、抵抗加熱体の交換が必要なときには、その方法がわからず、マニュアルも紛失してしまっているケースが多いため、誤った操作で、グリラーを扱ってしまうおそれがある。
【００４９】
本実施の形態に係るグリラー１０では、ユニット２０側の第１電極２５と、装置本体３０側の第２電極４１とが、挿抜式としたことにより、抵抗加熱体Ｈ１〜Ｈ４をメンテナンスするときには、ユニット２０を装置本体３０から取り外すだけでよいため、マニュアルが不要であり、アルバイトでも操作が容易である。
【００５０】
（電極取付構造の変形例）
第２電極４１は、固定部である取付台４２と絶縁するために、一対の絶縁部材４２２を備えていた。しかし、第２電極４１と取付台４２とが絶縁できればよいので、可動部を絶縁部材とすることができる。
ここで、可動部を絶縁部材により形成した場合の電極取付構造の変形例について、図９に基づいて説明する。なお、図９においては、図５と同じ構成のものは同符号を付して説明を省略する。
図９に示すように、可動部４３ｘは、絶縁部材の一例であるガラスエポキシ樹脂基板により形成されている。
可動部４３ｘが絶縁部材であるため、図５に示す一対の絶縁部材４２２が省略されている。そして、雄ねじ部材４２１に螺合する一対の雌ねじ部材４２３により、可動部４３ｘを直接挟み込むことで、第２電極４１ｘを、取付台４２に対しては移動可能であるが、可動部４３ｘには固定された状態とすることができる。
【００５１】
なお、本実施の形態では、第１電極２５および第２電極４１がそれぞれ２個ずつであったが、３個以上でもよい。
また、装置本体３０には、一方の電極として第２電極４１が取り付けられ、ユニット２０には、他方の電極として第１電極２５が取り付けられていたが、反対に、装置本体３０に第２電極４１が取り付けられ、ユニット２０に第１電極２５が取り付けられていてもよい。
また、本実施の形態では、第１電極２５が上、第２電極４１が下に位置しており、第１電極２５を下方に移動させて第２電極４１に嵌合させていたが、第１電極と第２電極とが左右方向に位置しており、いずれか一方を他方に水平移動、または両方を互いに接近する方向に水平移動することで、嵌合するようにしてもよい。
【産業上の利用可能性】
【００５２】
本発明の電極取付構造は、第１電極と第２電極とを接続したり切り離したりする装置に好適であり、特に大電流が流れる加熱調理装置に最適である。
【符号の説明】
【００５３】
１０  グリラー
２０  ユニット
２０ａ  開口部
２１  ヒーター部
２２  カバー
２３  筐体
２３ａ  枠体
２３ｂ  区画壁
２３ｃ  底板
２４ａ，２４ｂ，２４ｃ，２４ｄ  接続用金具
Ｈ，Ｈ１〜Ｈ４  抵抗発熱体
２５  第１電極
２５１  端子部
２５２  端子部用取付部
２５２ａ  雄ねじ部材
２５２ｈ  頭部
２５２ｂ〜２５２ｅ  雌ねじ部材
２５２ｆ  絶縁部材
２５２ｇ  座金
２６  固定用ねじ部
３０  装置本体
３０ａ  天面
３１  筐体
３１ａ  電源スイッチ
３１ｂ  電源ランプ
３２  奥壁
４０  電源部
４１，４１ｘ  第２電極
４１１  端子部
４１１１  圧接片
４１１１ａ  接続部
４１１１ｂ  接触部
４１１２  補強部
４２  取付台
４２ａ  天面
４２ｈ  貫通孔
４２０  端子部用取付部
４２１  雄ねじ部材
４２２  絶縁部材
４２３  雌ねじ部材
４２４  座金
４２５  雌ねじ部材
４２６  端子板
４３，４３ｘ  可動部
４３ｈ  貫通孔
４４  可動部用取付部
４４１  雄ねじ部材
４４２  雌ねじ部材
４４３  スペーサ
５０  取外部材
５１  挿入部
５１ａ  基部
５１ｂ  先端部
５２  操作部
５３  ばね蝶番
Ｓ  空間
Ｓ１  一端側
Ｓ２  他端側
Ｍ  移動範囲
φ１〜φ３  直径
Ｔ１，Ｔ２  高さ
【図１】
2019200930.tif 000003
【図２】
2019200930.tif 000004
【図３】
2019200930.tif 000005
【図４】
2019200930.tif 000006
【図５】
2019200930.tif 000007
【図６】
2019200930.tif 000008
【図７】
2019200930.tif 000009
【図８】
2019200930.tif 000010
【図９】
2019200930.tif 000011